【手続補正書】
【提出日】平成28年9月28日(2016.9.28)
【手続補正１】
【補正対象書類名】明細書
【補正対象項目名】０２７７
【補正方法】変更
【補正の内容】
【０２７７】
本明細書に示される式のそれぞれは、（１）他の可変の基、置換基または数値係数の全てを一定に保持しながら、可変の基、置換基または数値係数の１つについての規定の範囲内から選択し、（２）他のものを一定に保持しながら、他の可変の基、置換基または数値係数のそれぞれについての規定の範囲内からの同じ選択を順に行うことによって、該当する式中で形成され得る別個の個々の化合物またはモノマーのそれぞれおよび全てを表す。その範囲によって表される群のメンバーの１つのみの可変の基、置換基または数値係数のいずれかについての規定の範囲内で行われる選択に加えて、複数の化合物またはモノマーが、基、置換基または数値係数の全群のメンバーの全てではないが２つ以上を選択することによって表され得る。可変の基、置換基または数値係数のいずれかについての規定の範囲内で行われる選択が、（ｉ）その範囲によって表される全群のメンバーの１つのみ、または（ｉｉ）全群のメンバーの全てではないが２つ以上を含有する部分群である場合、選択されるメンバーは、部分群を形成するように選択されない全群のメンバーを除外することによって選択される。化合物、モノマー、または複数の化合物もしくはモノマーは、このような場合、該当する変数についての規定の範囲の全群を指すが、部分群を形成するように除外されたメンバーが全群に存在しない、可変の基、置換基または数値係数のうちの１つまたは複数の定義によって特徴付けられ得る。
本明細書において、特に明記されない限り、または使用法の文脈によって矛盾する記載がない限り、本明細書の主題の一実施形態が、特定の特徴または要素を含む（ｃｏｍｐｒｉｓｉｎｇ）、含む（ｉｎｃｌｕｄｉｎｇ）、含有する（ｃｏｎｔａｉｎｉｎｇ）、有する（ｈａｖｉｎｇ）、それから構成される（ｂｅｉｎｇ  ｃｏｍｐｏｓｅｄ  ｏｆ）またはそれによってもしくはそれで構成される（ｂｅｉｎｇ  ｃｏｎｓｔｉｔｕｔｅｄ  ｂｙ
ｏｒ  ｏｆ）と記載または説明される場合、明示的に記載または説明されたものに加えて、１つまたは複数の特徴または要素が、実施形態において存在し得る。しかしながら、本明細書の主題の代替的な実施形態は、特定の特徴または要素から本質的になると記載または説明されることがあり、その実施形態では、実施形態の動作原理または特徴的な特性を実質的に変更し得る特徴または要素が存在しない。本明細書の主題のさらなる代替的な実施形態は、特定の特徴または要素からなると記載または説明されることがあり、その実施形態では、またはその実質的でない変形形態では、具体的に記載または説明された特徴または要素のみが存在する。
【手続補正２】
【補正対象書類名】明細書
【補正対象項目名】０２７８
【補正方法】変更
【補正の内容】
【０２７８】
以上、本発明を要約すると下記の通りです。
１．（ａ）２〜１０個の炭素を有するα−オレフィンの共重合単位および３〜８個の炭素を有するα，β−エチレン性不飽和カルボン酸の単位を含む親酸コポリマーを含むアイオノマー組成物であって、前記親酸コポリマーの前記カルボン酸基の一部が、カチオンによって中和されて、カルボン酸塩が形成され、前記カチオンが、一価の金属カチオン、アンモニウムカチオン、またはそれらの任意の混合物であるアイオノマー組成物と；
（ｂ）有機アンモニウム、有機ホスホニウム、および有機スルホニウム化合物を実質的に含まない親水性ナノ粒子を含む充填材と
を含む組成物であって、
前記アイオノマー組成物および前記充填材が、水性媒体中で相互に分散可能である組成物。
２．前記充填材が、ナノ粒子充填材である、上記１に記載の組成物。
３．前記充填材が、有機アンモニウム、有機ホスホニウム、および有機スルホニウム化合物を実質的に含まない親水性ナノ粒子から本質的になる、上記１または２に記載の組成物。
４．前記親酸コポリマーの前記α−オレフィン単位がエチレンである、上記１〜３のいずれかに記載の組成物。
５．前記エチレン性不飽和カルボン酸単位が、アクリル酸、メタクリル酸、またはそれらの混合物のうちの少なくとも１つを含む、上記１〜４のいずれかに記載の組成物。
６．前記アイオノマー組成物が、前記親酸コポリマーの総重量を基準にして、約１８〜約３０重量％の、アクリル酸、メタクリル酸、またはそれらの混合物のうちの少なくとも１つの共重合単位を含む、上記１〜４のいずれかに記載の組成物。
７．前記中和されていない親酸コポリマーが、２１６０ｇの負荷で、１９０℃で、ＡＳＴＭ  Ｄ１２３８に準拠して測定される、約２００〜約１０００ｇ／１０分のメルトフローレート（ＭＦＲ）を有する、上記１〜６のいずれかに記載の組成物。
８．前記親酸コポリマーが、エチレンの共重合単位およびα，β−エチレン性不飽和カルボン酸の単位から本質的になり、前記親酸コポリマーの前記カルボン酸基の一部が、カチオンによって中和されて、カルボン酸塩が形成され、前記カチオンが、一価の金属カチオン、アンモニウムカチオン、またはそれらの任意の混合物である、上記１〜７のいずれかに記載の組成物。
９．前記中和されていない親酸コポリマーの全カルボン酸含量を基準にして計算した際に、約４０％〜約１００％の、前記コポリマーの前記カルボン酸基が、カルボン酸塩へと中和される、上記１〜８のいずれかに記載の組成物。
１０．前記カチオンが、一価のアルカリ金属カチオンまたは一価の遷移金属カチオンである、上記１〜９のいずれかに記載の組成物。
１１．前記カチオンが、一価のアルカリ金属カチオンである、上記１０に記載の組成物。１２．前記カチオンが、Ｎａ＋もしくはＫ＋カチオンまたはそれらの混合物である、上記１１に記載の組成物。
１３．前記カチオンが、Ｎａ＋カチオンである、上記１２に記載の組成物。
１４．前記カチオンが、Ｋ＋カチオンである、上記１２に記載の組成物。
１５．前記充填材が、天然もしくは合成の層状ケイ酸塩、酸化グラフェン、または還元黒鉛もしくは酸化グラフェンのうちの少なくとも１つを含む、上記１〜１４のいずれかに記載の組成物。
１６．前記充填材が、アルカリ金属ピロリン酸塩を含めることによって改質された表面を有するケイ酸塩粒子を含む、上記１５に記載の組成物。
１７．前記ナノ粒子が、板状ケイ酸塩粒子を含む、上記１５または１６に記載の組成物。１８．前記充填材が、近似的実験式：
Ｎａ＋０．７［（Ｓｉ８Ｍｇ５．５Ｌｉ０．３）Ｏ２０（ＯＨ）４］−０．７
で表される板状粒子を含む合成、層状、含水マグネシウムリチウムシリケートを含む、上記１７に記載の組成物。
１９．前記充填材が、近似的実験化学式：
Ｎａ＋０．７［（Ｓｉ８Ｍｇ５．５Ｌｉ０．３）Ｏ２０（ＯＨ）４］−０．７
（式中、前記ヒドロキシル基の少なくとも一部が、フッ化物アニオンで置換される）で表される板状粒子を含む合成、層状、含水マグネシウムリチウムシリケートを含む、上記１７に記載の組成物。
２０．前記フッ化物アニオンが、１重量％以下の前記充填材を含む、上記１９に記載の組成物。
２１．前記充填材が、前記近似的実験化学式：
Ｎａ＋０．７［（Ｓｉ８Ｍｇ５．５Ｌｉ０．３）Ｏ２０（ＯＨ）４］−０．７
（式中、前記ヒドロキシル基の少なくとも一部が、フッ化物アニオンで任意選択的に置換される）で表される板状粒子を含む合成、層状、含水マグネシウムリチウムシリケートから本質的になる、上記１７〜２０のいずれかに記載の組成物。
２２．前記ナノ粒子の少なくとも約２５重量％が、剥離され、または２０ｎｍ未満の厚さでタクトイド中に存在する、上記１５〜２１のいずれかに記載の組成物。
２３．前記ナノ粒子の少なくとも約５０重量％が、剥離され、または２０ｎｍ未満の厚さでタクトイド中に存在する、上記１５〜２１のいずれかに記載の組成物。
２４．前記ナノ粒子の少なくとも約９０重量％が、剥離され、または２０ｎｍ未満の厚さでタクトイド中に存在する、上記１５〜２１のいずれかに記載の組成物。
２５．前記ナノ粒子が、天然または合成の棒状、針状、またはリボン状のケイ酸塩粒子を含む、上記１〜１５のいずれかに記載の組成物。
２６．前記ナノ粒子が、セピオライト粒子を含む、上記２５に記載の組成物。
２７．前記ナノ粒子が、３０〜１５０のアスペクト比を有する、上記１５〜２６のいずれかに記載の組成物。
２８．前記ナノ粒子が、８０ミリ当量／１００ｇ未満のカチオン交換容量を有する、上記１７〜２７のいずれかに記載の組成物。
２９．前記充填材が、ＳｉＯ２、ＴｉＯ２、ＺｎＯ、もしくはＺｒＯ２ナノ粒子またはカーボンナノチューブのうちの少なくとも１つを含む、上記１〜１４のいずれかに記載の組成物。
３０．前記ナノ粒子が、陰性または中性の表面電荷を有するコロイドＳｉＯ２ナノ粒子を含む、上記２７に記載の組成物。
３１．前記コロイドＳｉＯ２ナノ粒子が、１０〜７５ｎｍの平均直径を有する、上記３０に記載の組成物。
３２．前記アイオノマー組成物が、Ｃ１〜Ｃ８アルキルアクリレートもしくはメタクリレート、マレイン酸もしくはフマル酸のＣ１〜Ｃ８アルキルエステル、または無水マレイン酸のうちの１つまたは複数をさらに含む、上記１〜３１のいずれかに記載の組成物。
３３．前記アイオノマー組成物が、Ｃ１〜Ｃ８アルキルアクリレートまたはメタクリレートのうちの１つまたは複数をさらに含む、上記３２に記載の組成物。
３４．前記アイオノマー組成物が、メチルアクリレート、エチルアクリレート、イソ−もしくはｎ−ブチルアクリレート、またはメチルメタクリレートのうちの１つまたは複数をさらに含む、上記３２に記載の組成物。
３５．前記水性媒体が、水から本質的になる、上記１〜３４のいずれかに記載の組成物。３６．前記水性媒体が、水と、７５重量％以下の、１〜５個の炭素原子を有する１つまたは複数のアルコールとから本質的になる、上記１〜３４のいずれかに記載の組成物。
３７．前記水性媒体が、水と、５０重量％以下のイソプロピルアルコールとから本質的になる、上記１〜３４のいずれかに記載の組成物。
３８．前記水性媒体が、水と、５０重量％以下の、ジメチルホルムアミド（ＤＭＦ）、ジメチルアセトアミド（ＤＭＡｃ）、ｎ−メチルピロリドン（ＮＭＰ）、およびホルムアミドのうちの１つまたは複数とから本質的になる、上記１〜３４のいずれかに記載の組成物。
３９．前記ナノ粒子が、シランカップリング剤を実質的に含まない、上記１〜３８のいずれかに記載の組成物。
４０．０．１〜３０重量％の前記ナノ粒子を含む、上記１〜３９のいずれかに記載の組成物。
４１．０．５〜２０重量％の前記ナノ粒子を含む、上記４０に記載の組成物。
４２．１０〜８０重量％の前記ナノ粒子を含む、上記１〜３９のいずれかに記載の組成物。
４３．前記アイオノマー組成物が、２〜１０個の炭素を有するα−オレフィンの共重合単位および３〜８個の炭素を有するα，β−エチレン性不飽和カルボン酸の単位をそれぞれ含む複数のアイオノマーを含み、前記親酸コポリマーの前記カルボン酸基の一部が、カチオンによって中和されて、カルボン酸塩が形成され、前記カチオンが、一価の金属カチオン、アンモニウムカチオン、またはそれらの任意の混合物である、上記１〜７または９〜４２のいずれかに記載の組成物。
４４．上記１〜４３のいずれかに記載の組成物を含むアイオノマーコンポジット。
４５．上記１〜４３のいずれかに記載の組成物を含むアイオノマーコンポジットであって、前記ナノ粒子が、ナノスケール充填材から得られるアイオノマーコンポジット。
４６．上記１〜４３のいずれかに記載の組成物を含む製品。
４７．（ａ）ホストポリマーと；
（ｂ）上記１〜４３のいずれかに記載の組成物と
を含むマルチポリマーコンポジットであって、
前記組成物のアイオノマー組成物および充填材が、前記ホストポリマー中に分散されるマルチポリマーコンポジット。
４８．前記ホストポリマーが、２〜１０個の炭素を有するα−オレフィンの共重合単位および３〜８個の炭素を有するα，β−エチレン性不飽和カルボン酸の単位を含むホスト酸コポリマー、または前記ホスト酸コポリマーから誘導されるホストアイオノマーであり、前記ホスト酸コポリマーの不飽和カルボン酸基の少なくとも一部が、ホストカチオンによって中和されて、カルボン酸塩が形成される、上記４７に記載のマルチポリマーコンポジット。
４９．前記ホストポリマーが、２〜１０個の炭素を有するα−オレフィンの共重合単位および３〜８個の炭素を有するα，β−エチレン性不飽和カルボン酸の単位を含むホスト酸コポリマーから誘導されるホストアイオノマーを含み、不飽和カルボン酸基の少なくとも一部が、ホストカチオンによって中和されて、カルボン酸塩が形成される、上記４７に記載のマルチポリマーコンポジット。
５０．前記ホストポリマーが、２〜１０個の炭素を有するα−オレフィンの共重合単位および３〜８個の炭素を有するα，β−エチレン性不飽和カルボン酸の単位を含む前記ホスト酸コポリマーから誘導されるホストアイオノマーから本質的になり、不飽和カルボン酸基の少なくとも一部が、ホストカチオンによって中和されて、カルボン酸塩が形成される、上記４７に記載のマルチポリマーコンポジット。
５１．前記ホストカチオンが、一価のアルカリ金属カチオン、二価のアルカリ土類カチオン、または一価もしくは二価の遷移金属カチオンである、上記４９に記載のマルチポリマーコンポジット。
５２．前記ホスト酸コポリマーが、エチレンの共重合単位を含む、上記４９〜５１のいずれかに記載のマルチポリマーコンポジット。
５３．前記ホスト酸コポリマーの前記α，β−エチレン性不飽和カルボン酸が、（メタ）アクリル酸、無水マレイン酸、マレイン酸水素メチル、またはマレイン酸水素エチルのうちの少なくとも１つである、上記４９〜５２のいずれかに記載のマルチポリマーコンポジ
ット。
５４．前記ホスト酸コポリマーが、（メタ）アクリル酸の共重合単位を含む、上記４９〜５２のいずれかに記載のマルチポリマーコンポジット。
５５．前記アイオノマー組成物およびホストポリマーが、溶融混和性である、上記４９〜５４のいずれかに記載のマルチポリマーコンポジット。
５６．前記親酸コポリマー中に存在する前記α，β−エチレン性不飽和カルボン酸の含量および前記ホストポリマー中に存在する前記α，β−エチレン性不飽和カルボン酸の含量が、１０重量％以下だけ異なる、上記４９〜５５のいずれかに記載のマルチポリマーコンポジット。
５７．前記含量が、５重量％以下だけ異なる、上記５６に記載のマルチポリマーコンポジット。
５８．前記ホストポリマーおよび前記アイオノマー組成物が不混和性である、上記４７〜５４のいずれかに記載のマルチポリマーコンポジット。
５９．前記親酸コポリマー中に存在するα，β−エチレン性不飽和カルボン酸の含量および前記ホスト酸コポリマー中に存在するα，β−エチレン性不飽和カルボン酸の含量が、１０重量％超だけ異なる、上記４７〜５４または５８のいずれかに記載のマルチポリマーコンポジット。
６０．前記ホストポリマーが、１〜８個の炭素を有するアルキル（メタ）アクリレート、無水マレイン酸、マレイン酸水素メチル、またはマレイン酸水素エチルのうちの少なくとも１つであるターモノマーをさらに含む、上記４７〜５９のいずれかに記載のマルチポリマーコンポジット。
６１．前記ホストポリマーが、ポリアミドである、上記４７に記載のマルチポリマーコンポジット。
６２．前記ホストポリマーが、１〜８個の炭素を有するポリオレフィンである、上記４７に記載のマルチポリマーコンポジット。
６３．前記ホストポリマーが、前記アイオノマー組成物と適合するポリマーである、上記４７に記載のマルチポリマーコンポジット。
６４．前記アイオノマー組成物が、前記ホストポリマー中の局所的なドメイン中で別々に検出可能である、上記４７〜５４または５８〜６３のいずれかに記載のマルチポリマーコンポジット。
６５．前記局所的なドメインの平均サイズが、１μｍまでである、上記６４に記載のマルチポリマーコンポジット。
６６．前記充填材が、前記局所的なドメイン内に実質的に含まれる、上記６４〜６５のいずれかに記載のマルチポリマーコンポジット。
６７．上記４７〜６６のいずれかに記載のマルチポリマーコンポジットを含む製品。
【手続補正３】
【補正対象書類名】特許請求の範囲
【補正対象項目名】全文
【補正方法】変更
【補正の内容】
【特許請求の範囲】
【請求項１】
（ａ）２〜１０個の炭素を有するα−オレフィンの共重合単位および約１８〜約３０重量％の、３〜８個の炭素を有するα，β−エチレン性不飽和カルボン酸の単位を含む親酸コポリマーを含むアイオノマー組成物であって、前記中和されていない親酸コポリマーの全カルボン酸含量を基準にして計算した際に、約４０％〜約１００％の、前記親酸コポリマーの前記カルボン酸基が、一価のアルカリ金属カチオン、一価の遷移金属カチオン、アンモニウムカチオン、またはそれらの任意の混合物によって中和されて、カルボン酸塩が形成されるアイオノマー組成物と；
（ｂ）有機アンモニウム、有機ホスホニウム、および有機スルホニウム化合物を実質的
に含まない親水性ナノ粒子を含む充填材と
を含む組成物であって、
前記アイオノマー組成物および前記充填材が、水性媒体中で相互に分散可能である組成物。
【請求項２】
（ａ）２〜１０個の炭素を有するα−オレフィンの共重合単位および約１８〜約３０重量％の、３〜８個の炭素を有するα，β−エチレン性不飽和カルボン酸の単位を含む親酸コポリマーを含むアイオノマー組成物であって、前記中和されていない親酸コポリマーの全カルボン酸含量を基準にして計算した際に、約４０％〜約１００％の、前記親酸コポリマーの前記カルボン酸基が、一価のアルカリ金属カチオン、一価の遷移金属カチオン、アンモニウムカチオン、またはそれらの任意の混合物によって中和されて、カルボン酸塩が形成されるアイオノマー組成物と；
（ｂ）有機アンモニウム、有機ホスホニウム、および有機スルホニウム化合物を実質的に含まない親水性ナノ粒子を含む充填材と
を含む組成物を含むアイオノマーコンポジットであって、
前記アイオノマー組成物および前記充填材が、水性媒体中で相互に分散可能であるアイオノマーコンポジット。
【請求項３】
（ａ）ホストポリマーと；
（ｂ）組成物であって：
（ｉ）２〜１０個の炭素を有するα−オレフィンの共重合単位および約１８〜約３０重量％の、３〜８個の炭素を有するα，β−エチレン性不飽和カルボン酸の単位を含む親酸コポリマーを含むアイオノマー組成物であって、前記中和されていない親酸コポリマーの全カルボン酸含量を基準にして計算した際に、約４０％〜約１００％の、前記親酸コポリマーの前記カルボン酸基が、一価のアルカリ金属カチオン、一価の遷移金属カチオン、アンモニウムカチオン、またはそれらの任意の混合物によって中和されて、カルボン酸塩が形成されるアイオノマー組成物；および
（ｉｉ）有機アンモニウム、有機ホスホニウム、および有機スルホニウム化合物を実質的に含まない親水性ナノ粒子を含む充填材
を含む組成物と
を含むマルチポリマーコンポジットであって、
前記アイオノマー組成物および前記充填材が、水性媒体中で相互に分散可能であり、前記組成物の前記アイオノマー組成物および前記充填材が、前記ホストポリマー中に分散されるマルチポリマーコンポジット。
【請求項４】
（ａ）ホストポリマーと；
（ｂ）組成物であって：
（ｉ）２〜１０個の炭素を有するα−オレフィンの共重合単位および約１８〜約３０重量％の、３〜８個の炭素を有するα，β−エチレン性不飽和カルボン酸の単位を含む親酸コポリマーを含むアイオノマー組成物であって、前記中和されていない親酸コポリマーの全カルボン酸含量を基準にして計算した際に、約４０％〜約１００％の、前記親酸コポリマーの前記カルボン酸基が、一価のアルカリ金属カチオン、一価の遷移金属カチオン、アンモニウムカチオン、またはそれらの任意の混合物によって中和されて、カルボン酸塩が形成されるアイオノマー組成物；および
（ｉｉ）有機アンモニウム、有機ホスホニウム、および有機スルホニウム化合物を実質的に含まない親水性ナノ粒子を含む充填材
を含む組成物と
を含むマルチポリマーコンポジットを含む製品であって、
前記アイオノマー組成物および前記充填材が、水性媒体中で相互に分散可能であり、前記組成物の前記アイオノマー組成物および前記充填材が、前記ホストポリマー中に分散さ
れる製品。